(57)【要約】【課題】ベース側最広面を持つ箱型形状の本体と、該本体に対して開閉可能なカバー側最広面を持つ蓋で構成して記録媒体を入れることが出来る記録媒体用カバーケースであって、貸出しケースの高さ寸法にバラツキがあってもレンタル用カバーケースからの突出量を一定にすることが出来るカバーケースの提供。【解決手段】本体上端には蓋部材１１が取付けられると共に該蓋部材１１は上記本体１に設けたガイド溝２０，２０に沿って底部側へスライド出来る構造としている。又本体１には記録媒体を取付ける取付け板１０をスライド可能に設け、そして蓋部材１１から延びた脚１５ａ，１５ｂの先端を係合して上記取付け板１０を連結している。【選択図】        図１
2004331153.tif 000002
【特許請求の範囲】
【請求項１】
ベース側最広面を持つ箱型形状の本体と、該本体に対して開閉可能なカバー側最広面を持つ蓋で構成して記録媒体を入れることが出来る記録媒体用カバーケースにおいて、上端には蓋部材が取付けられると共に該蓋部材は上記本体に設けたガイドに沿って底部側へスライド出来る構造とし、又本体には記録媒体を取付ける取付け板をスライド可能に設け、そして蓋部材から延びた脚先端を係合して上記取付け板を連結したことを特徴とするレンタル及び販売用記録媒体のカバーケース。
【請求項２】
ベース側最広面を持つ箱型形状の本体と、該本体に対して開閉可能なカバー側最広面を持つ蓋で構成して記録媒体を入れることが出来る記録媒体用カバーケースにおいて、上端には蓋部材が取付けられると共に該蓋部材は上記本体に設けたガイドに沿って底部側へスライド出来る構造とし、又記録媒体を取付ける取付け板を蓋部材から延びた脚部にスライド可能に取付けられると共に脚先端に係合して連結することを特徴とするレンタル及び販売用記録媒体のカバーケース。
【請求項３】
上記本体上端にはストッパーを形成し、蓋部材が上端開口から外れないようにした請求項１、請求項２記載のレンタル及び販売用記録媒体のカバーケース。
【請求項４】
上記蓋部材から延びる脚先端にツメを設け、又ケース本体に設けた高さ調整部材の複数凹部にツメを係合して底部での蓋部材の高さを調整可能とした請求項１、請求項２、又は請求項３記載のレンタル及び販売用記録媒体のカバーケース。
【請求項５】
ベース側最広面を持つ箱型形状の本体と、該本体に対して開閉可能なカバー側最広面を持つ蓋で構成して記録媒体を入れることが出来る記録媒体用カバーケースであって、上端には蓋部材が取付けられると共に該蓋部材は上記本体に設けたガイドに沿って底部側へスライド出来る構造とし、又本体には記録媒体を取付ける取付け板をスライド可能に設け、そして蓋部材から延びた脚先端を係合して上記取付け板を連結して構成し、この記録媒体用カバーケースを大きな収納ボックスに複数収納し、蓋部材と共に該蓋部材に連結した取付け板を引き出し可能としたことを特徴とするレンタル及び販売用記録媒体のカバーケース。
【請求項６】
ベース側最広面を持つ箱型形状の本体と、該本体に対して開閉可能なカバー側最広面を持つ蓋で構成して記録媒体を入れることが出来る記録媒体用カバーケースであって、上端には蓋部材が取付けられると共に該蓋部材は上記本体に設けたガイドに沿って底部側へスライド出来る構造とし、又本体には記録媒体を取付ける取付け板をスライド可能に設け、そして蓋部材から延びた脚先端を係合して上記取付け板を連結して構成し、この記録媒体用カバーケースを複数重ね合わせた状態で連結具によって連結し、蓋部材と共に該蓋部材に連結した取付け板を引き出し可能としたことを特徴とするレンタル及び販売用記録媒体のカバーケース。
【請求項７】
ベース側最広面を持つ箱型形状の本体と、該本体に対して開閉可能なカバー側最広面を持つ蓋で構成して記録媒体を入れることが出来る記録媒体用カバーケースであって、上端には蓋部材が取付けられると共に該蓋部材は上記本体に設けたガイドに沿って底部側へスライド出来る構造とし、又本体には記録媒体を取付ける取付け板をスライド可能に設け、そして蓋部材から延びた脚先端を係合して上記取付け板を連結して構成し、重ね合わせた複数の記録媒体用カバーケースを該カバーケースに設けたツメによって互いに連結し、蓋部材と共に該蓋部材に連結した取付け板を引き出し可能としたことを特徴とするレンタル及び販売用記録媒体のカバーケース。
【発明の詳細な説明】
【０００１】
【発明の属する技術分野】
本発明は、ＣＤ、ＤＶＤ等のディスク、又はその他の記録媒体をレンタルする場合、及び販売する場合に使用するカバーケースに関するものである。
【０００２】
【従来の技術】
音楽や映像を記録したＣＤ，ＤＶＤ等の記録媒体は、不透明な販売ケースに収納された状態で販売されている。又、レンタルショップでは販売ケースから記録媒体を取り出し、これを貸出しケースに収容し、さらに別のカバーケースに入れて陳列棚に並べている。上記カバーケースに入った貸し出しケースはその上端が開口から突出した状態となり、簡単に抜き取って借りることが出来る。
【０００３】
この貸し出し方法は、特許第２１３２８６８号に係る「ビデオテープの陳列方法及び陳列用ケース」と同じ形態であって、ビデオテープをテープケース（貸出しケース）に収容し、それを陳列用ケース（カバーケース）に入れて陳列棚に並べている。この場合、ビデオテープを収容したテープケースの上端は陳列用ケースから突出した状態にあり、顧客は該陳列用ケースからテープケースを抜取ることが出来る。
【０００４】
しかし、上記のようなレンタルショップにおいて、販売ケースからＣＤ，ＤＶＤ等の記録媒体を取り出し、別の貸出しケース及びカバーケースに収容する場合、上記販売ケースは不用となり、ゴミとして廃棄処分されることになる。このことは非常に不経済であり、同時にプラスチック製のケースを大量に廃棄することで環境上の問題も残される。
【０００５】
そこで、従来においても、同じケースを販売用として利用出来ると共に、レンタル用としても使用可能な形態の開発がなされている。すなわち、記録媒体を販売する場合には完全に収容される販売用ケースであって、レンタル用として陳列棚に陳列する場合には、上端が開口する構造と成っている。すなわち、ＣＤ，ＤＶＤ等の記録媒体を貸出しケースに収容すると共に陳列用カバーケースに収納することで上端開口から一部が突出するように成っている。そこで、販売用ケースの上端蓋部材は取外し可能であったり、開閉可能な構造が採用されている。
【０００６】
このような形態のカバーケースとしては、特開２００１−０４８２７３号、特開２００１−１３０６７３号、特開２００１−１３０６７４号、特開２００１−２４７１８５号、特開２００１−３３１８７７号、特開２００２−２０５７８６号、特開２００２−２６４９８４号等が従来から知られている。
【０００７】
ところが、ビデオテープを収容している貸出しケースは、その大きさがほぼ統一されているが、ＣＤ，ＤＶＤ等を収容する貸出しケースの大きさは色々あって、高さの低い貸出しケースを挿入すると、上端開口からの突出量は小さくなり、逆に高さの高い貸出しケースを挿入するならば、上端開口からの突出量は大きくなる。このように、カバーケースからの突出量にバラツキがあったのでは、陳列棚に配列された状態での外観が悪く、又顧客は突出量が小さな貸出しケースを抜き取りにくい。
【０００８】
【発明が解決しようとする課題】
このように、従来のレンタル及び販売用記録媒体のカバーケースには上記のごとき問題がある。本発明が解決しようとする課題はこれら問題点であり、販売用ケースをレンタル用カバーケースとして変更できる構造とし、しかも貸出しケースの高さ寸法にバラツキがあってもレンタル用カバーケースからの突出量を一定にすることが出来るカバーケースを提供する。
【０００９】
【課題を解決する為の手段】
本発明に係るレンタル及び販売用記録媒体のカバーケースは、ベース側最広面を持つ箱型形状の本体と、該本体に対して開閉可能なカバー側最広面を持つ蓋で構成され、この中にＣＤ，ＤＶＤ等の記録媒体を収容することが出来る。そこで、本体には記録媒体の取付け係止部を有す取付け板をスライド可能に設け、該取付け板は本体に形成しているガイドに沿ってスライドできると共に、該本体から取外される。
【００１０】
そして、カバーケースの上端開口を塞ぐ為の蓋部材が本体に設けられ、該蓋部材は本体に形成しているガイドに沿って底部へ移動することが出来る。しかも、底部へ移動した蓋部材は、複数箇所にて位置決めされて貸出しケースを挿入した際の底部として機能する。すなわち、挿入された貸出しケースの開口からの突出量を自由に調整出来るように蓋部材の位置が定められる。以下、本発明に係る実施例を図面に基づいて詳細に説明する。
【００１１】
【実施例】
図１は、販売用のカバーケースを示している場合であり、同図の１は本体、２は蓋を表わしている。本体１は縦長の長方形をしたベース側最広面３の両側に側縁４ａ，４ｂが起立し、底には底縁５が起立し、又蓋２は同じく縦長の長方形をしたカバー側最広面６の片側に側縁７が起立し、底には底縁８が起立している。そこで、蓋２は繋ぎ部９を介して本体１と繋がっているが、該蓋２を閉じる場合、蓋２の側縁７及び底縁８は本体１の側縁４ａ及び底縁５の内側に嵌って本体１を覆うことが出来る。
【００１２】
本体１のベース側最広面３の中央には取付け板１０が取付けられ、又上端には蓋部材１１が取付けられている。取付け板１０の中心には受け台座１２を突出して設け、該受け台座１２には係合凸部１３を形成している。ＣＤ等のディスクは受け台座１２に載置されると共に、中央穴には上記係合凸部１３が嵌って取付けられる。ここで、係合凸部１３の具体的な形態は限定しないことにする。
【００１３】
そして、取付け板１０はその外形を長方形としているが、両側部には円弧を成した縁１４，１４を突出し、受け台座１２に載置されたディスクの外周が該縁１４，１４に載って支えられる。ベース側最広面３に取付けられた取付け板１０は両側縁４ａ，４ｂに形成しているガイド溝に沿ってスライドすることが出来、本体１から取外すことも出来る。取付け板１０の両側にはガイド片１８ａ，１８ｂが突出し、このガイド片１８ａ，１８ｂがガイド溝２０，２０に遊嵌してスライドすることが出来る。
【００１４】
本体１の上端に取付けられる蓋部材１１は、本体１の上端開口を塞ぐことが出来、この蓋部材１１は着脱可能に成っている。そして蓋部材１１には両側に脚１５ａ，１５ｂを延ばして門形を成し、脚１５ａ，１５ｂの先端は上記取付け板１０の上端両側に形成している穴に嵌って係合している。すなわち、脚先端にはツメが形成され、該ツメは脚１５ａ，１５ｂが穴に嵌ると共に係合溝に係合して連結される。従って、蓋部材１１を引き抜くならば、取付け板１０も同時に本体１から取出すことが出来る。従って、蓋２を開けないで蓋部材１１と共に取付け板１０を本体１から引き出し、受け台座１２にディスクを取付け、又は受け台座１２からディスクを取外すことが可能となる。
【００１５】
図２は取付け板１０と蓋部材１１を分離して表わしている。両脚１５ａ，１５ｂは取付け板１０の両側に形成した穴（図示なし）に嵌合し、そして抜けないように先端外側に設けたツメ１６ａ，１６ｂが取付け板１０の穴外側に形成した係合溝１７，１７に係合して連結することが出来る。そして、取付け板１０の両側にはガイド片１８ａ，１８ｂが突出し、該ガイド片１８ａ，１８ｂはベース側最広面３の両側であって側縁４ａ，４ｂとのコーナーに形成しているガイド溝２０，２０に遊嵌してスライドすることが出来る。同じく、蓋部材１１の両側にもガイド片１９ａ，１９ｂが突出して設けられ、該ガイド片１９ａ，１９ｂは上記ガイド溝２０，２０に遊嵌してスライドすることが出来る。
【００１６】
図３には本体１の側縁４ｂの上端部拡大図を示しているように、ベース側最広面３と側縁４ｂとのコーナーにはガイド溝２０が形成され、このガイド溝２０に取付け板１０のガイド片１８ｂ及び蓋部材１１のガイド片１９ｂが遊嵌してスライドすることが出来る。そして、ガイド溝２０は上端２１まで貫通せず、上端にはストッパー２２が設けられ、その為に蓋部材１１のガイド片１９ｂはストッパー２２に当って外れることはない。又、ストッパー２２から所定の距離を置いてツメ２３が形成され、蓋部材１１のガイド片１９ｂはストッパー２２とツメ２３の間に挟まれて所定位置に固定される。同じように側縁４ａ側にもストッパー及びツメが形成されている。
【００１７】
図１に示すカバーケースは販売用であるが、レンタル用のカバーケースとするには上記取付け板１０が本体１から取外される。図４は取付け板１０を取外したカバーケースを示し、（ａ）は蓋部材１１が上端に位置している場合、（ｂ）は蓋部材１１が底部に位置している場合である。このように、蓋部材１１は上端に位置している場合にはカバーケース上端を閉じ、底部へ移動することで上端を開口する。勿論、蓋２は閉じられている。
【００１８】
ディスクを収容した貸出しケース（図示なし）は、上端開口から挿入して貸出しケースの底が蓋部材１１に当って支持され、貸出しケースの上端はカバーケースの上端開口から突出することが出来る。本発明では、該貸出しケースの高さ寸法が変わっても、上端開口からの突出量が一定になるように底部での蓋部材１１の位置を調整することが出来る構造と成っている。
【００１９】
図４（ｂ）の部分拡大図を示しているのが図５である。蓋部材１１の脚１５ｂの先端には上記ツメ１６ｂの他にツメ２３ｂを有している。すなわち、図２に示すように、脚１５ａ，１５ｂの外側にはツメ１６ａ，１６ｂを有し、内側にはツメ２３ａ，２３ｂを有している。ベース側最広面３には高さ調整部材２４ｂが突出し、該高さ調整部材２４ｂに形成している凹部２５に底部へ移動した蓋部材１１のツメ２３ｂが係合する。
【００２０】
複数の凹部２５，２５・・が高さ調整部材２４ｂに一定間隔で形成され、上記ツメ２３ｂを適当な位置の凹部２５に係合することで、蓋部材１１の高さを自由に調整出来る。蓋部材１１の反対側脚１５ａにもツメ２３ａを有し、高さ調整部材２４ａに形成している凹部２５に係合する。そして、蓋２のカバー側最広面６には小さな凸部２６，２６・・が等間隔で設けられている。
【００２１】
蓋部材１１には凸部２７ａ，２７ｂが形成され（図２参照）、蓋２を閉じるならば、蓋部材１１から突出した凸部２７ａ，２７ｂは図５に示すように蓋２の凸片２６，２６間に嵌合して位置決めされる。すなわち、ツメ２３ａ，２３ｂが高さ調整部材２４ａ，２４ｂの凹部２５，２５に係合すると共に、凸部２７ａ，２７ｂが凸片２６，２６・・間に嵌合して固定される。
【００２２】
このように、蓋部材１１を図４（ｂ）に示すように底部へ移動した状態で蓋２を閉じてレンタル用カバーケースとなる。そして、上端開口から貸出しケースを挿入して上端は突出することが出来る。貸出しケースの高さが変わっても、上端開口からの突出量を一定にするために、蓋部材１１の底部での位置が図５に示すように調整される。
【００２３】
ところで、図１に示す販売用ケースは図６に示すように蓋部材１１をケースの上端開口から突出した状態で保管する場合、蓋部材１１を引くことで蓋部材１１の脚１５ａ，１５ｂと連結している取付け板１０を引き出すことが出来る。そして、取付け板１０の受け台座１２に取付けているディスクを取出し、又取付け板１０の受け台座１２にディスクを取り付けることが可能である。すなわち、蓋２を開く必要がない。
【００２４】
図７は蓋部材１１を引くことで取付け板１０を引き出して、ディスク２８の取付け、取外し状態を表わしている。そして、該ケースを積み重ねて互いに連結し、収納ケースとして構成することも出来る。又、図８に示すように、複数ケースを別の収納ボックス２９に収納して構成することも可能である。
【００２５】
図９は連結具３３を用いて積み重ねたケースＡ、Ｂ、Ｃを連結している。連結具３３の両端はコ形断面を成してツメ３４ａ，３４ｂ・・を形成し、上記ケースＡ、Ｂ、Ｃの底縁にはスリット溝が設けられ、このスリット溝にツメ３４ａ，３４ｂ・・が嵌入して連結される。すなわち、ケースＡ、Ｂ、Ｃの底縁には４箇所にスリット溝が形成され、ケースＡとケースＢを連結具３３にて連結し、同じくケースＢとケースＣは別の連結具により連結される。
【００２６】
図１０（ａ）は積み重ねられたケースＡ、Ｂ、Ｃを連結する別形態を示している。ケースにはツメ３５，３５が両側に設けられ、該ツメ３５．３５を撓み変形させて別のケース蓋に形成している溝に係止する。図１０（ｂ）はツメ３５が下側に位置するケースの溝に係止している場合を示している。このように連結された複数のケースＡ、Ｂ、Ｃ・・は、蓋部材１１を開口から突出させておくことで、引き出し形式で該蓋部材１１と共に取付け板１０を引き出すことが可能となる。
【００２７】
前記図４に示す実施例では、蓋部材１１から取付け板１０を分離・取外した状態で蓋部材１１だけを本体１の底部へ移動している。ただし、図１１に示す蓋部材１１及び取付け板１０は（ａ）のように互いに分離可能であると共に、（ｂ）にように組合わされる。すなわち、蓋部材１１の脚先端に取付け板１０が係合して連結することも出来るが、取付け板１０は両脚に沿ってスライドし、脚１５ａ，１５ｂの内側空間に収容される。取付け板１０の側部３０ａ，３０ｂにはスリット溝３１ａ，３１ｂが形成され、このスリット溝３１ａ，３１ｂに蓋部材１１の脚１５ａ，１５ｂと一体化して形成されているガイド板３２ａ，３２ｂが嵌入・スライドして図１１（ｂ）のように組合される。
【００２８】
従って、取付け板１０を分離しないで（ｂ）に示すように一体的に組合わせた状態で本体１の底部へ移動してレンタル用カバーケースとして使用することが可能である。ここで、取付け板１０はＣＤ等のディスクを取付けることが出来るように、その中央には受け台座１２が設けられ、受け台座１２にはディスク中央穴に嵌る嵌合凸部１３を形成している。
【００２９】
図１２は販売用ケースとして用いる場合を示しているが、蓋部材１１と取付け板１０は前記図１１（ｂ）のような組合わせ形態ではなく、蓋部材１１の脚先端に取付け材１０が係合して連結している。従って、この取付け板１０の受け台座１２にはディスクを取付けることが出来、取付けられるディスクの外周は取付け板両側に形成している縁１４ａ，１４ｂ及び蓋部材１１の内側に形成している縁１４ｃに支持される。
【００３０】
そして、レンタル用カバーケースとして使用する場合は、図１３に示すように前記図１１（ｂ）のように取付け板１０が組合された蓋部材１１は本体底部へ移動し、蓋部材１１には貸出しケースを載せることが出来、その上端を開口から突出する。そして、蓋部材１１の底部での高さは自由に調整することが出来、脚先端に形成したツメが高さ調整部材の凹溝に係合してその高さが適当に調整される。これは前記図５にて説明した場合と同じである。
【００３１】
以上述べたように、本発明の販売用及びレンタル用の記録媒体のカバーケースは、記録媒体を取付ける取付け板を本体にスライド可能に取付け、そして上端開口には蓋部材を設けると共に蓋部材から延びる脚に取付け板を連結したもので、次のような効果を得ることが出来る
【００３２】
【発明の効果】
本発明に係るカバーケースは上端に蓋部材を取付けると共に、該蓋部材はケース本体に沿って形成したガイドに沿って底部へ移動することが出来る。そして、底部へ移動した蓋部材には上端開口から挿入した貸出しケースが載って、該貸出しケースの上端は開口から突出することが出来る。又、蓋部材の底部での位置は調整可能と成っているために、貸出しケースの高さ寸法が違っても上端開口からの突出量は一定となる。
【００３３】
一方、ケース本体には取付け板がスライド可能に取付けられていて、該取付け板は蓋部材の両脚先端が係合することで連結している。取付け板には記録媒体が取付けられ、蓋部材にて上端開口が塞がれた状態で販売用ケースとして使用される訳であるが、蓋部材を引き抜くならば取付け板も引き抜かれる。従って、蓋を開かないで取付け板に取付けている記録媒体の出し入れを行なうことが可能となる。
【図面の簡単な説明】
【図１】本発明に係る販売用ケースを示す実施例。
【図２】取付け板と蓋部材が分離した場合。
【図３】ケース本体上端の側縁部の詳細図。
【図４】取付け板を外したレンタル用カバーケースであり、（ａ）は蓋部材がケース本体の上端に位置する場合、（ｂ）は蓋部材が底部に位置する場合。
【図５】蓋部材が底部に位置している場合の高さ調整構造。
【図６】取付け板がケース本体から引き出せるように蓋部材の一部が上端から突出した状態。
【図７】ケース本体から蓋部材と共に取付け板が引き出されタ場合。
【図８】複数枚のケースを収納ボックスに収納する場合。
【図９】積み重ねられた複数ケースを連結具にて連結する場合。
【図１０】ケースに設けたツメによって積み重ねられる複数ケースを連結する場合。
【図１１】取付け板と蓋部材が分離した場合。
【図１２】本発明に係る販売用ケースを示す実施例。
【図１３】本発明に係るレンタル用カバーケースを示す実施例。
【符号の説明】
１  本体
２  蓋
３  ベース側最広面
４  側縁
５  底縁
６  カバー側最広面
７  側縁
８  底縁
９  繋ぎ部
１０  取付け板
１１  蓋部材
１２  受け台座
１３  係合凸部
１４  縁
１５  脚
１６  ツメ
１７  係合溝
１８  ガイド片
１９  ガイド片
２０  ガイド溝
２１  上端
２２  ストッパー
２３  ツメ
２４  高さ調整部材
２５  凹部
２６  凸部
２７  凸部
２８  ディスク
２９  収納ボックス
３０  側部
３１  スリット溝
３２  ガイド板
３３  連結具
３４  ツメ
３５  ツメ
【図１】
2004331153.tif 000003
【図２】
2004331153.tif 000004
【図３】
2004331153.tif 000005
【図４】
2004331153.tif 000006
【図５】
2004331153.tif 000007
【図６】
2004331153.tif 000008
【図７】
2004331153.tif 000009
【図８】
2004331153.tif 000010
【図９】
2004331153.tif 000011
【図１０】
2004331153.tif 000012
【図１１】
2004331153.tif 000013
【図１２】
2004331153.tif 000014
【図１３】
2004331153.tif 000015